(57)【要約】【課題】デッドスペースを有効に利用しつつ、入浴者に更にリラックスすることが可能な空間を提供する。【解決手段】浴槽１の長手方向の一方のフランジ１１上面に巻きフタから成る風呂フタ２を内部に収納する収納部３を設け、その収納部内部には該風呂フタを巻き取る巻取軸４を備え、収納部３の浴槽側の面に風呂フタ２を挿通させるための開口部５を備え、該開口部５上方には収納部３内部を清掃するための清掃用開口部６を備えるとともに、その清掃用開口部６を閉塞し且つ収納部３の一部となる外カバー３１を備え、該収納部３の一部を入浴者の頭部を載置する枕部３２とし、前記風呂フタ２は一端が前記巻取軸４に固定されその他端には把持部２１を配設した。【選択図】        図１
2009201615.tif 000002
【特許請求の範囲】
【請求項１】
浴槽の長手方向の一方のフランジ上面に巻きフタから成る風呂フタを内部に収納する収納部を設け、その収納部内部には該風呂フタを巻き取る巻取軸を備え、収納部の浴槽側の面に風呂フタを挿通させるための開口部を備え、該開口部上方には収納部内部を清掃するための清掃用開口部を備えるとともに、その清掃用開口部を閉塞し且つ収納部の一部となる外カバーを備え、該収納部の一部を入浴者の頭部を載置する枕部とし、前記風呂フタは一端が前記巻取軸に固定されその他端には把持部を備えて成ることを特徴とする風呂フタ収納枕装置。
【請求項２】
上記枕部は入浴者の頭部に合わせて凹部を形成することを特徴とする請求項１記載の風呂フタ収納枕装置。
【発明の詳細な説明】
【技術分野】
【０００１】
本発明は、風呂フタ収納枕装置に関するものである。
【背景技術】
【０００２】
風呂フタは浴湯の湯温の低下を防ぐために浴室には欠かせないものであるが、入浴時において風呂フタは不要なものであり、例えばたたんで浴室の端に立て掛けたり浴槽の片側に寄せて浴槽を使ったり等して一時的に退避させて使うのが一般的ではあるが、その見栄えは決して良いものではなく、入浴者によっては不愉快に感じる場合も少なくはなかった。
【０００３】
そこで、その問題を解決するものとして風呂フタ不使用時には、その風呂フタを巻き取って収納し、見栄えの問題を解決する発明が以前より知られている（例えば特許文献１参照）。
【０００４】
しかし、濡れた風呂フタを収納するため、このようなものにあってはその収納装置内部にはヌメリやカビ等が発生し易く、非常に不衛生であるという問題があった。
【特許文献１】実願平６−１３９１０号公報
【発明の開示】
【発明が解決しようとする課題】
【０００５】
ところで、入浴時において入浴者はリラックス状態になり浴槽の壁面に体を預ける姿勢となることがほとんどであり、その場合浴槽のフランジ部に頭を預ける場合も少なくなく、入浴者によっては巻き取った風呂フタを浴槽のフランジ部に横たえて、その横たわった風呂フタに頭を載置し、さらにリラックス感を得ようとする場合もあった。
【０００６】
本発明は上記事情に鑑みてなされたものであり、その目的とするところは、デッドスペースを有効に利用しつつ、入浴者に更にリラックスすることが可能な空間を提供することにある。
【課題を解決するための手段】
【０００７】
上記課題を解決するために請求項１に係る発明にあっては、浴槽１の長手方向の一方のフランジ１１上面に巻きフタから成る風呂フタ２を内部に収納する収納部３を設け、その収納部内部には該風呂フタを巻き取る巻取軸４を備え、収納部３の浴槽側の面に風呂フタ２を挿通させるための開口部５を備え、該開口部５上方には収納部３内部を清掃するための清掃用開口部６を備えるとともに、その清掃用開口部６を閉塞し且つ収納部３の一部となる外カバー３１を備え、該収納部３の一部を入浴者の頭部を載置する枕部３２とし、前記風呂フタ２は一端が前記巻取軸４に固定されその他端には把持部２１を備えて成ることを特徴とするものである。このような構成とすることで、風呂フタ２を目立たない場所に収納することができると共に、頭を載置する場所を確保することができ、同時に、清掃用開口部を設けたので収納部３内部が容易に清掃可能となり、衛生面においても大いに向上するものである。
【０００８】
また、請求項２に係る発明にあっては、請求項１に係る発明において、その枕部３２は入浴者の頭部に合わせて凹部を形成することを特徴とするものである。このような構成とすることで、リラックス効果を更に促進することができる。
【発明の効果】
【０００９】
本発明によれば、風呂フタを収納する際の風呂フタを持ち上げる動作による腰の負担を回避することができ、更に入浴時において外観上目立たない場所に風呂フタの収納スペースを確保できるとともにリラックス効果を増進させることが可能となるものである。
【発明を実施するための最良の形態】
【００１０】
以下、本発明について添付図面に基づいて説明する。
【００１１】
本実施形態の浴槽は図２（ａ）、（ｂ）に示すように、槽部１２とその槽部１２上端から外側に向けて平面視において略矩形状となるように形成されるフランジ１１部とからなり、該槽部１２の底面１３の形状は特に限定されるものではないが、楕円形であったり略長矩形状であったりするものであり、入浴者の脚部が向く方向に長手方向をとるものである。その長手方向の一端のフランジ１１上面に給水栓を備えており、更に槽部１２底面１３の略中央に排水口１４を設けてある。前記給水栓７の設置されるフランジ１１部と対向する長手方向の他端のフランジ１１上面には、略矩形状の風呂フタ収納枕装置８が設置されている。なお、該風呂フタ収納枕装置８は、スペース上の問題がなければ給水栓７側と同じ側のフランジ１１上面に設置されていてもよいものである。
【００１２】
前記風呂フタ収納装置８の取付け方法であるが、前記フランジ１１に一体に成形されるか、フランジ１１に溶着や溶接といった方法を用いて取り付けられるか、係合によって取り付けられるか、若しくはボルトやねじといった締結具にて取り付けられるか、といった方法にて取り付けられる。
【００１３】
風呂フタ収納枕装置８について詳述する。図３（ｂ）に示すように、風呂フタ収納枕装置８は収納部３で主体が構成されるものであり、収納部３の側面板３９略中央部には、巻きフタから成る風呂フタ２を巻き取る巻取軸４が平面視において長手方向の両端を架設するように回転自在に設置されている。さらに詳しく述べると、前記巻取軸４の両端には該巻取軸４よりも径の小さい軸（以後、小径軸という）が軸方向外側に向かって形成されており、取手４１が取付けられる側の一方の小径軸が、他方の小径軸よりも若干長く形成されている。収納部３の長手方向の両側の側面板３９の略中央には前記小径軸の径よりも僅かに大きい径を有する孔を穿設し、その両側面板の孔に小径軸を遊嵌させる。そうすることで、巻取軸４の段部（小径軸との境界）が風呂フタ収納枕装置８の内側面に当接し、巻取軸４が収納部３から抜け落ちるのを防止することができる。さらに、該巻取軸４の外径よりもさらに大きな径を有し摘み易い厚さで形成される前記取手４１が長く形成された側の小径軸に嵌合されている。なお、入浴者の操作性を考慮すれば該取手４１が浴室内の洗い場側を向くように取付けられるのが好ましいものである。
【００１４】
前記軸の構造は本実施形態に限定される訳ではなく、例えば、巻取軸４の端部近傍に抜け落ち防止用のピンを打って巻取軸４を保持する等他の方法によるものであってもよいものである。
【００１５】
前記巻取軸４には後述する風呂フタ２の一端に固設される紐のような連結具が固着されており、前記巻取軸４がその連結具を巻き取り、風呂フタ２自体が後述するガイド３７の上面に載置されることにより浴槽１を開放する。図３（ｂ）に示すように、風呂フタ２の巻き取り時には風呂フタ枕収納装置８の開口部５から風呂フタ２の後縁端部が突出しないように収納部３に収納可能となるものである。なお、巻取軸４に風呂フタ２を直接固設し、風呂フタ２自体を巻取軸４に巻き取る構成にしてもよい。
【００１６】
風呂フタ収納枕装置８の浴槽１側の面の下端部には長手方向略全長に亘って開口部５が設けられており、一端を巻取軸４に連結具を介して固着した風呂フタ２をその開口部５に挿通させ、該巻取軸４を回転させることによって風呂フタ２に固設された連結具を巻取り、風呂フタ２を収納部３内部に収納するものである。図３（ｂ）に示すように、開口部５から風呂フタ収納枕装置８の浴槽側面部３３、上面３４、背面３５、下面３６の順に沿ってガイド３７が風呂フタ２の厚みよりもやや広い間隔Ｓを確保しながら内側に連続的に設けられ、さらには、ガイド３７端部は巻取軸４の周方向に向かってガイド３７が延設されている。前記ガイドは滑らかに連続していることが好ましく、収納部３の平面視長手方向全長に亘って配設されてもよいが、両側面板３９から夫々突設するように設けてもよい。また、これらは一体であっても別体であってもよいものである。
【００１７】
風呂フタ収納枕装置８は、例えば樹脂や鋼板、又はＰＥＴ鋼板といったものから成っており、材質自体特に限定されるものではない。
【００１８】
清掃用開口部６について説明する。本実施形態における該清掃用開口部６は、図３（ａ）に示すように前記開口部５の上方に設けられ、風呂フタ収納枕装置８の上面部３４及び浴槽側面部３３が開放するものである。清掃用開口部６を極力大きく開口することによって風呂フタ収納枕装置８の内部の清掃が容易になるものであるが、本実施形態に限定されるものではない。例えば清掃用開口部６が浴槽側面部３３にのみ形成されていてもよいものである。
【００１９】
その清掃用開口部６には、清掃用開口部６を閉塞するように収納部３の一部を構成する外カバー３１が設けられている。該外カバー３１は清掃用開口部６下部であり且つ開口部５上部を軸とし回動自在に設置されており、清掃時には外カバー３１を回動させることにより清掃用開口部６を開放して風呂フタ収納枕装置８内部を清掃することが可能となる（図４参照）。また、特に図示しないが、風呂フタ収納枕装置８の下面３６に僅かな傾斜を与え傾斜の下流側に清掃による水を排水できる排水口を設けることが好ましい。
【００２０】
前記外カバー３１の浴槽１の短辺フランジ１１に対応する辺の略中央に枕部３２が設置されており、その枕部３２は入浴者の頭部を載置できる位置に凹部を形成するものである。該枕部３２には、凹部に沿うように相当厚さの軟質ゴム９が取着されており、入浴者が頭部を枕部３２に載置した際に心地よさを増進させるためのものである。該軟質ゴム９の取り付け方法は、嵌め込みによるものや接着によるもの等特に限定されるものではない。さらに、外カバー３１部の枕部３２以外の部分３８（すなわち外カバー３１の上横片の凹部を挟む両側の面）については水平になるように設置することが好ましい。そのように構成することで、該枕部以外の部分３８はカウンターとして使用することが可能となる。
【００２１】
次に、風呂フタ２について説明する。風呂フタ２は、上述の通り巻きフタから成るものであり、略長矩形状に形成されており、その長手方向の一端には巻取軸４に連結する紐状の連結具が固設されており、その連結具によって巻取軸４に固着されている。図１（ａ）に示すように、給水栓７が設置される箇所には干渉を防ぐための切り欠き２２が形成されており、浴槽１のフランジ１１の縁辺に合わせて風呂フタ２の形状が形成されている。風呂フタ２の浴槽１と接する面には凹凸がないものが好ましい。この面に凹凸がないものを使用することで、収納時に前記ガイド３７に風呂フタ２が引っ掛かる問題が発生することを回避できる。また、風呂フタ２の巻取軸４に固着されている側と対向する辺近傍の裏面には凹部からなる把持部２１が取り付けられており、このような構成とすることで、風呂フタ２収納時から風呂フタ２使用時に至る際（すなわち浴槽１不使用時）に容易に風呂フタ収納枕装置８から風呂フタ２を引き出すことが可能となる。
【００２２】
ところで、本発明は上記実施形態に限定されるものではなく、風呂フタ２収納時にモータ等の駆動装置を使用して電動式にして巻き上げる構成としてもよいものである。そうすることで巻取軸４を回転させて風呂フタ２を巻き上げるといった煩わしい動作を回避することができる点で効果的である。
【００２３】
さらに、他の実施形態として、平面視にて略長矩形状の風呂フタ収納枕装置８の上部面の略全面に亘って既に巻き上げた巻きフタを収納するための開口部を設け、風呂フタ収納枕装置内部に巻きフタを収納できるようにし、その開口部を閉塞するように外カバーを設け、該外カバーの略中央に枕部としての凹部を形成するものにしてもよく、このように構成することで、単純な構成によってコストの低減を図ることができ、またメンテナンス性にも優れるという利点を有する。
【図面の簡単な説明】
【００２４】
【図１】本発明の一実施形態で、風呂フタ使用時の図を示し（ａ）は平面図であり、（ｂ）は側面図である。
【図２】同上の風呂フタ収納時の図を示し（ａ）は平面図であり、（ｂ）は入浴者が入浴時の側面図である。
【図３】同上の要部を説明する図を示し、（ａ）は要部側面図であり、（ｂ）は要部側断面図である。
【図４】同上の清掃時の状態を説明する要部側面図である。
【符号の説明】
【００２５】
１      浴槽
１１    フランジ
２      風呂フタ
２１    把持部
３      収納部
３１    外カバー
３２    枕部
４      巻取軸
５      開口部
６      清掃用開口部 
【図１】
2009201615.tif 000003
【図２】
2009201615.tif 000004
【図３】
2009201615.tif 000005
【図４】
2009201615.tif 000006